(57)【要約】【課題】本発明は、配線部の静電容量変化による誤検出を防止するとともに、入力領域における検出感度を向上させることが可能な静電容量式入力装置を提供することを目的とする。【解決手段】本発明は、入力位置情報を検出する静電容量式センサ部２０と、静電容量式センサ部２０に対して入力操作側に配置された表面部材３０と、静電容量式センサ部２０と表面部材３０とを貼り合わせる粘着層４１と、を有し、静電容量式センサ部２０は、基材２１と、基材２１の入力領域１５に形成された電極部２２と、電極部２２に接続されるとともに入力領域１５の外側の非入力領域１６に形成された配線部２７とを有して構成されて、表面部材３０は、表面パネル３１と、配線部２７に重なる位置に設けられた導体部３６とを有して構成されており、配線部２７と導体部３６との間に空間部５０が設けられていることを特徴とする。【選択図】図３
2014170341.tif 000002
【特許請求の範囲】
【請求項１】
入力位置情報を検出する静電容量式センサ部と、前記静電容量式センサ部に対して入力操作側に配置された表面部材と、前記静電容量式センサ部と前記表面部材とを貼り合わせる粘着層と、を有し、
前記静電容量式センサ部は、基材と、前記基材の入力領域に形成された電極部と、前記電極部に接続されるとともに前記入力領域の外側の非入力領域に形成された配線部とを有して構成されて、
前記表面部材は、表面パネルと、前記配線部に重なる位置に設けられた導体部とを有して構成されており、
前記配線部と前記導体部との間に空間部が設けられていることを特徴とする静電容量式入力装置。
【請求項２】
前記導体部は前記表面パネルに対して前記入力操作側に配置されており、
前記表面パネルには、前記配線部と重なる位置において凹部が形成されて、前記空間部が前記凹部により形成されることを特徴とする請求項１に記載の静電容量式入力装置。
【請求項３】
前記表面パネルにおいて、前記凹部が複数形成されるとともに、複数の前記凹部が平面視においてハニカム形状に配列されていることを特徴とする請求項２に記載の静電容量式入力装置。
【請求項４】
前記配線部と重なる位置において前記粘着層に孔部が形成されていることを特徴とする請求項２または請求項３に記載の静電容量式入力装置。
【請求項５】
前記凹部には誘電体が埋め込まれており、前記誘電体は前記表面パネルよりも低い誘電率を有することを特徴とする請求項２から請求項４のいずれか１項に記載の静電容量式入力装置。
【請求項６】
前記表面パネルは前記導体部に対して前記入力操作側に配置されており、
前記配線部と重なる位置において前記粘着層に孔部が形成されて、前記空間部が前記孔部により形成されることを特徴とする請求項１に記載の静電容量式入力装置。
【請求項７】
前記粘着層には、前記配線部と重なる位置に複数の前記孔部が配列されるとともに隣り合う前記孔部同士の間の前記粘着層が桟部として形成されており、
前記桟部は、前記配線部よりも前記入力領域側に位置する前記粘着層と、前記配線部よりも外方に位置する前記粘着層とを接続することを特徴とする請求項６に記載の静電容量式入力装置。
【発明の詳細な説明】
【技術分野】
【０００１】
本発明は、入力位置情報を検出する静電容量式入力装置に関し、特に誤検出を防止するための導体部が設けられた静電容量式入力装置に関する。
【背景技術】
【０００２】
モバイル機器やスマートフォン等の電子機器の表示部において、透光型の静電容量式入力装置が用いられている。特許文献１には、入力領域以外からの影響を受け難くすることにより、入力位置検出精度を高くすることが可能な静電容量式入力装置について開示されている。図１１は、特許文献１に記載されている従来例の静電容量式入力装置について部分拡大断面図を示す。
【０００３】
図１１に示すように、従来例の静電容量式入力装置１１０は、基材１２１と、基材１２１の上面に形成された第１の電極部１２２と、基材１２１の下面に形成された第２の電極部１２３とを有して構成される。基材１２１の上面には、粘着層１４０を介して表面パネル１３１が貼り合わされている。また、基材１２１の下面には、粘着層１４１を介して基板１３８が設けられている。
【０００４】
第１の電極部１２２及び第２の電極部１２３は、静電容量式入力装置１１０の入力領域１１５に形成されており、第１の電極部１２２と第２の電極部１２３との間に静電容量が形成されるようにそれぞれ配置されている。被検出体（例えば操作者の指など）が表面パネル１３１に接触または近づいたときに、第１の電極部１２２と第２の電極部１２３との間の静電容量が変化し、これに基づいて入力位置情報を検出することができる。また、入力領域１１５の外周の非入力領域１１６において、第１の電極部１２２及び第２の電極部１２３から引き出された配線部１２７が形成されており、外部回路（図示しない）へと接続される。そして、配線部１２７に重なる位置に金属板からなるシールド部材１３６が形成されている。
【０００５】
近年、入力領域１１５における検出感度を高めることが要求されており、例えば被検出体が表面パネル１３１に接触せずに、近づいた状態で入力操作可能となるように検出感度が向上されている。シールド部材１３６が設けられていない場合、配線部１２７と被検出体との間に静電容量が形成されて、配線部１２７と被検出体との間の静電容量変化を検出してしまい誤検出が生じ易くなる。従来例の静電容量式入力装置１１０において、図１１に示すように、シールド部材１３６を設けることにより、被検出体が表面パネル１３１に近づいたときに、被検出体と配線部１２７との間に静電容量が形成されることを防止できる。すなわち、第１の電極部１２２と第２の電極部１２３との間の静電容量変化により得られる入力位置情報の信号に、被検出体と配線部１２７との間の静電容量変化による信号が混在することを防止して、誤検出を防止できる。これにより、入力領域１１５における入力位置情報の検出感度を高めることが可能である。
【先行技術文献】
【特許文献】
【０００６】
【特許文献１】特許第４４３５６２２号公報
【発明の概要】
【発明が解決しようとする課題】
【０００７】
しかしながら、配線部１２７に重なる位置にシールド部材１３６を設けることにより、配線部１２７とシールド部材１３６との間に静電容量が形成される。この静電容量は、入力位置情報の検出に寄与しない浮遊容量であり、この浮遊容量は、第１の電極部１２２と第２の電極部１２３との間に形成される静電容量と容量結合して、静電容量式入力装置１１０全体の静電容量が増大する。そのため、被検出体が接近したときの静電容量の変化が相対的に小さくなり、入力領域１１５における検出感度が低下するという課題が生じる。よって、シールド部材１３６を設けて配線部１２７の静電容量変化による誤検出を防止するとともに、入力領域１１５における検出感度を向上させることは困難である。
【０００８】
本発明は、上記課題を解決して、配線部の静電容量変化による誤検出を防止するとともに、入力領域における検出感度を向上させることが可能な静電容量式入力装置を提供することを目的とする。
【課題を解決するための手段】
【０００９】
本発明の静電容量式入力装置は、入力位置情報を検出する静電容量式センサ部と、前記静電容量式センサ部に対して入力操作側に配置された表面部材と、前記静電容量式センサ部と前記表面部材とを貼り合わせる粘着層と、を有し、前記静電容量式センサ部は、基材と、前記基材の入力領域に形成された電極部と、前記電極部に接続されるとともに前記入力領域の外側の非入力領域に形成された配線部とを有して構成されて、前記表面部材は、表面パネルと、前記配線部に重なる位置に設けられた導体部とを有して構成されており、前記配線部と前記導体部との間に空間部が設けられていることを特徴とする。
【００１０】
これによれば、配線部に重なる位置に導体部を設けることにより、被検出体が近づいた場合に、被検出体と配線部との間に静電容量が形成されることを防止できるため、配線部の静電容量変化による誤検出を防止することができる。さらに、配線部と導体部との間に空間部が設けられているため、配線部と導体部との間の誘電率を低減させて配線部と導体部との間に形成される静電容量値を小さくすることができる。よって、非入力領域における浮遊容量を低減させることにより、非入力領域における浮遊容量と、入力領域における静電容量との容量結合を低減できるため、入力領域における検出感度を向上させることが可能である。
【００１１】
したがって、本発明の静電容量式入力装置によれば、配線部の静電容量変化による誤検出を防止するとともに、入力領域における検出感度を向上させることができる。
【００１２】
本発明の静電容量式入力装置において、前記導体部は前記表面パネルに対して前記入力操作側に配置されており、前記表面パネルには、前記配線部と重なる位置において凹部が形成されて、前記空間部が前記凹部により形成されることが好適である。これによれば、表面パネルに凹部を設けることにより導体部と配線部との間に空間部が形成されるため、導体部と配線部との間に位置する表面パネルの体積を減少させるとともに誘電率の低い空間部を形成することができるため、導体部と配線部との間の誘電率を小さくすることができる。よって、配線部と導体部との間に形成される浮遊容量を小さくして、入力領域における検出感度を向上させることができる。
【００１３】
本発明の静電容量式入力装置は、前記表面パネルにおいて、前記凹部が複数形成されるとともに、複数の前記凹部が平面視においてハニカム形状に配列されていることが好適である。これによれば、表面パネルに凹部を設けて浮遊容量を低減させるとともに、表面パネルの強度の低下を抑制することができる。
【００１４】
本発明の静電容量式入力装置は、前記配線部と重なる位置において前記粘着層に孔部が形成されていることが好ましい。これによれば、導体部と配線部との間の誘電率をさらに小さくして、浮遊容量を低減させることが可能である。
【００１５】
本発明の静電容量式入力装置において、前記凹部には誘電体が埋め込まれており、前記誘電体は前記表面パネルよりも低い誘電率を有することが好適である。このような態様であっても、導体部と配線部との間の誘電率を小さくして、浮遊容量を低減させることが可能である。また、凹部に誘電体を埋め込むように形成することにより、表面パネルの強度の低下を抑制することができる。
【００１６】
本発明の静電容量式入力装置において、前記表面パネルは前記導体部に対して前記入力操作側に配置されており、前記配線部と重なる位置において前記粘着層に孔部が形成されて、前記空間部が前記孔部により形成されることが好適である。これによれば、表面パネルが導体部よりも入力操作側に配置される構成の静電容量式入力装置において、粘着層に孔部を形成することにより、導体部と配線部との間の誘電率を小さくして、浮遊容量を低減することが可能である。
【００１７】
本発明の静電容量式入力装置において、前記粘着層には、前記配線部と重なる位置に複数の前記孔部が配列されるとともに隣り合う前記孔部同士の間の前記粘着層が桟部として形成されており、前記桟部は、前記配線部よりも前記入力領域側に位置する前記粘着層と、前記配線部よりも外方に位置する前記粘着層とを接続することが好ましい。これによれば、粘着層に孔部を設けて浮遊容量を低減させるとともに、桟部を設けることにより粘着層の強度を維持して、孔部により形成される空間部の体積が小さくなることを防止できる。
【発明の効果】
【００１８】
本発明の静電容量式入力装置によれば、配線部の静電容量変化による誤検出を防止するとともに、入力領域における検出感度を向上させることができる。
【図面の簡単な説明】
【００１９】
【図１】本発明の第１の実施形態の静電容量式入力装置を示す分解斜視図である。
【図２】本実施形態の静電容量式入力装置を構成する静電容量式センサ部の平面図である。
【図３】図１に示す静電容量式入力装置を組み立てたときに、図１のＩＩＩ−ＩＩＩ線で切断して矢印方向から見たときの静電容量式入力装置の部分拡大断面図である。
【図４】本実施形態における静電容量式入力装置の部分拡大平面図である。
【図５】本実施形態の第１の変形例を示す、静電容量式入力装置の部分拡大平面図である。
【図６】第２の変形例を示す、静電容量式入力装置の部分拡大断面図である。
【図７】第３の変形例を示す、静電容量式入力装置の部分拡大断面図である。
【図８】第２の実施形態の静電容量式入力装置を示す、部分拡大断面図である。
【図９】第２の実施形態の静電容量式入力装置を示す、部分拡大平面図である。
【図１０】第２の実施形態の変形例を示す、静電容量式入力装置の部分拡大断面図である。
【図１１】従来例の静電容量式入力装置を示す、部分拡大断面図である。
【発明を実施するための形態】
【００２０】
以下、図面を参照しながら、本発明の具体的な実施形態の静電容量式入力装置について説明する。なお、各図面の寸法は適宜変更して示す。
【００２１】
＜第１の実施形態＞
図１は、第１の実施形態の静電容量式入力装置を示す分解斜視図である。図１に示すように本実施形態の静電容量式入力装置１０は、入力位置情報を検出する静電容量式センサ部２０と、静電容量式センサ部２０に対して入力操作側（図１のＺ１方向）に配置される表面部材３０とを有して構成される。静電容量式センサ部２０と表面部材３０とは粘着層４１を介して貼り合わされる。
【００２２】
図１に示すように、表面部材３０は、表面パネル３１と、表面パネル３１の入力操作側（Ｚ１方向）に貼り合わされる保護フィルム３４とで構成される。保護フィルム３４の裏面（Ｚ２方向の面）には導体部３６が形成されており、導体部３６は保護フィルム３４の外周部において枠状に形成されている。この導体部３６によって区分けされて導体部３６に囲まれた領域が、入力操作を行う入力領域１５である。また、入力領域１５の外側の導体部３６が形成された領域が非入力領域１６である。導体部３６は、外部の物体等が近づいたときに誤動作が生じることを防止するための、シールド機能を有する。
【００２３】
なお、表面部材３０は、操作者から直接視認される部材であるため、導体部３６は、着色されて加飾層３８としての機能を兼ね備えることもできる。また、保護フィルム３４とは別に加飾層３８が形成された加飾フィルムを設けることもできる。
【００２４】
図２は、本実施形態の静電容量式入力装置を構成する静電容量式センサ部を示す平面図である。図３は、図１に示す静電容量式入力装置を組み立てたときに、図１のＩＩＩ−ＩＩＩ線の位置で切断して矢印方向から見たときの静電容量式入力装置の部分拡大断面図である。なお、図３は、Ｘ１方向の非入力領域１６及びその近傍の入力領域１５における部分拡大断面図を示す。
【００２５】
図２に示すように、静電容量式センサ部２０は、第１の基材２１と、第１の基材２１に形成された複数の第１の電極部２２、複数の第２の電極部２３、及び複数の配線部２７を有して構成される。第１の電極部２２及び第２の電極部２３は入力領域１５に形成されており、いずれも菱形のパッド状の電極である。第１の電極部２２は、Ｘ１−Ｘ２方向に間隔を設けて配置されており、Ｘ１−Ｘ２方向に隣り合う第１の電極部２２同士はブリッジ部２４によって接続される。接続された複数の第１の電極部２２は、Ｘ１−Ｘ２方向において延在するとともに、Ｙ１−Ｙ２方向において間隔を設けて複数本配列されている。また、第２の電極部２３はＹ１−Ｙ２方向において間隔を設けて配列されており、Ｙ１−Ｙ２方向に隣り合う第２の電極部２３同士は、ブリッジ部２４の下を通る幅細の接続部２５によって接続されている。接続された複数の第２の電極部２３は、Ｙ１−Ｙ２方向において延在するとともに、Ｘ１−Ｘ２方向において間隔を設けて複数本配列されている。
【００２６】
図２に示すように、接続された複数の第１の電極部２２と、接続された複数の第２の電極部２３とは、互いに交差して形成されている。図３に示すように、接続部２５とブリッジ部２４とが交差する部分において、接続部２５を覆うように絶縁層２６が設けられており、接続部２５及び絶縁層２６を跨がってブリッジ部２４が形成されている。これにより、第１の電極部２２と第２の電極部２３とは、互いに絶縁された状態で形成される。
【００２７】
また、図２に示すように、複数の配線部２７は、第１の電極部２２及び第２の電極部２３に接続されて非入力領域１６を引き回されて形成される。そして、複数の配線部２７は、外部回路と接続するための接続端子２８に接続される。
【００２８】
本実施形態において、第１の基材２１は、フィルム状の樹脂材料を用いて形成されており、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の透光性樹脂材料が用いられる。第１の電極部２２、第２の電極部２３、及び接続部２５は、ＩＴＯ（Ｉｎｄｉｕｍ  Ｔｉｎ  Ｏｘｉｄｅ）、ＳｎＯ２、ＺｎＯ等の透明導電材料を用いて形成されており、スパッタや蒸着等の薄膜法により形成される。また、配線部２７及び接続端子２８には、ＣｕやＡｇ等の金属材料が用いられる。
【００２９】
本実施形態の静電容量式センサ部２０は、第１の電極部２２と第２の電極部２３との間で静電容量を形成するように配置されている。操作者が入力操作を行う際に、表面部材３０の表面の入力領域１５に指などの被検出体を接触させて、または接触させずに近づけた場合に、第１の電極部２２と第２の電極部２３との間の静電容量と、各電極部と被検出体との間に形成される静電容量とが結合して、これに基づいて入力位置情報を検出することができる。
【００３０】
近年、入力操作をより快適に行うため、または、接触させずに指などを近づけた状態で多様な入力操作方法を実現するために、入力領域１５における検出感度を向上させることが求められている。この場合、入力領域１５の検出感度だけではなく、配線部２７と被検出体との間に形成される静電容量についても検出感度が向上してしまう。そして、第１の電極部２２と第２の電極部２３との間の静電容量変化により検出された入力位置情報は、配線部２７を介して外部回路へと出力されるため、配線部２７と被検出体との間の静電容量変化により誤検出が生じる可能性がある。よって、配線部２７の静電容量変化を抑制して、入力領域１５以外の静電容量変化による誤検出を防止する必要がある。
【００３１】
本実施形態の静電容量式入力装置１０において、図３に示すように、表面部材３０の入力操作側に設けられた保護フィルム３４に導体部３６が形成されており、導体部３６は、静電容量式センサ部２０の配線部２７に重なる位置に形成されている。
【００３２】
導体部３６には、Ｃｕ、Ａｇ、Ａｕ等の金属材料を用いることができ、あるいは、ＩＴＯ等の透明導電材料を用いることも可能である。導体部３６は、スパッタや蒸着等の薄膜法や、スクリーン印刷やインクジェット印刷などの印刷法により形成することができる。もしくは、金属フィルム等を用いて貼り合わせることも可能である。
【００３３】
図３に示すように、配線部２７に重なる位置に導体部３６を設けることにより、被検出体が近づいた場合に、被検出体と配線部２７との間を導体部３６により遮蔽して、被検出体と配線部２７との間に静電容量が形成されることを防止できる。よって、配線部２７の静電容量変化による誤検出を防止することができる。本実施形態において、図１に示すように、導体部３６は非入力領域１６の全ての領域に設けられており、入力領域１５以外において被検出体等が近づいたときの誤検出を効果的に抑制することができる。ただし、少なくとも配線部２７に重なる領域に導体部３６が設けられていれば、配線部２７と被検出体との間で静電容量が形成されることを防止できる。
【００３４】
さらに、表面パネル３１には、配線部２７と重なる位置において凹部３２が形成されており、表面パネル３１に貼り合わされた粘着層４１と凹部３２とで囲まれた空間部５０が形成される。これにより、配線部２７と導体部３６との間に、空間部５０が設けられる。
【００３５】
表面パネル３１には、第１の基材２１と同様に透光性の樹脂材料を用いることができる。表面パネル３１を射出成形により製造することによって、金型を用いて、凹部３２を形成することができる。また、平板状の樹脂基板を用いて、レーザー加工や切削加工により凹部３２を形成することができる。また、表面パネル３１としてガラス材料を用いることも可能である。
【００３６】
表面パネル３１に用いられる樹脂材料の比誘電率は３〜５程度であり、また、ガラス材料を用いた場合には、比誘電率は８〜１５程度である。これに対して、空間部５０の誘電率は空気の比誘電率となり約１である。
【００３７】
本実施形態の静電容量式入力装置１０において、表面パネル３１に凹部３２を設けて、導体部３６と配線部２７との間に空間部５０が形成されるため、導体部３６と配線部２７との間に位置する表面パネル３１の体積を減少させるとともに誘電率の低い空間部５０を形成することができる。これにより、配線部２７と導体部３６との間の誘電率を低減させて配線部２７と導体部３６との間に形成される静電容量値を小さくすることができる。
【００３８】
配線部２７と導体部３６との間に形成される静電容量値は、入力位置の検出に寄与しない浮遊容量である。本実施形態の静電容量式入力装置１０によれば、この浮遊容量を小さくして、非入力領域１６における浮遊容量と、入力領域１５における静電容量との容量結合を低減できる。したがって、被検出体が表面パネル３１に接触して、または接触しない状態で近づいた際の静電容量変化を相対的に大きくして、入力領域１５における検出感度を向上させることが可能である。
【００３９】
以上のように、本実施形態の静電容量式入力装置１０によれば、配線部２７の静電容量変化による誤検出を防止するとともに、入力領域１５における検出感度を向上させることができる。
【００４０】
図４は、静電容量式入力装置の部分拡大平面図であり、表面パネルに形成された凹部の構造を示す部分拡大平面図である。図４に示すように、凹部３２は複数形成されており、非入力領域１６を引き回されている配線部２７に重なる位置に形成されている。そして、複数の凹部３２のそれぞれは六角形状に形成されるとともに、複数の凹部３２で六角形状を構成するように配列されて、平面視でハニカム形状を構成している。
【００４１】
このように複数の凹部３２を形成することにより、平面視における凹部３２の合計の面積を大きくして配線部２７と導体部３６との間に形成される浮遊容量を低減するとともに、凹部３２を形成することによる表面パネル３１の強度の低下を抑制することができる。なお、凹部３２のそれぞれの平面形状や、複数の凹部３２の配列は図４に示すものに限定されず、凹部３２のそれぞれを円形、四角形等に形成した場合でも同様の効果が得られる。
【００４２】
なお、静電容量式入力装置１０において、静電容量式センサ部２０の電極パターンや検出方式は、本実施形態のものに限定されず、例えば、電極部とグラウンドとの間で静電容量を検出する自己容量方式であっても同様の効果が得られる。
【００４３】
図５は、第１の実施形態の第１の変形例を示す、静電容量式入力装置の部分拡大平面図であり、表面パネルに形成された凹部の構造を示す。図５に示すように、配線部２７に重なる位置において、表面パネル３１の凹部３２を配線部２７に沿うように溝状に形成することもできる。このように形成することにより、複数の凹部３２を設ける場合に比較して、凹部３２の平面積を大きくして空間部５０の体積を大きくすることが容易である。よって、配線部２７と導体部３６との間の誘電率を効果的に低減することができる。
【００４４】
図６は、第２の変形例を示す、静電容量式入力装置の部分拡大断面図である。第２の変形例の静電容量式入力装置１０は、静電容量式センサ部２０、及び導体部３６の構成は図３に示す第１の実施形態と同様である。第２の変形例において、表面パネル３１の凹部３２に誘電体５３が埋め込まれている点が異なっている。そして、誘電体５３は表面パネル３１よりも低い比誘電率を有する材料が用いられる。例えば、表面パネル３１としてガラス材料を用いた場合には、ガラスの比誘電率は８〜１５程度であり、誘電体５３としてアクリル樹脂等の樹脂材料を用いることができ、このときの誘電体５３の比誘電率は３〜５程度である。
【００４５】
このような態様であっても、導体部３６と配線部２７との間の誘電率を小さくして、非入力領域１６における浮遊容量を低減することが可能である。また、表面パネル３１にガラスを用いて凹部３２を形成した場合には、凹部３２を形成した箇所において応力が集中してクラック等が発生し易くなるが、凹部３２に誘電体５３を埋め込むように形成することにより、応力の集中を緩和して表面パネル３１の強度の低下を抑制される。
【００４６】
図７は第１の実施形態における第３の変形例を示し、静電容量式入力装置の部分拡大断面図である。図７に示す第３の変形例は、配線部２７と重なる位置において、表面パネル３１に凹部３２が形成されるとともに、表面部材３０と静電容量式センサ部２０とを貼り合わせる粘着層４１に孔部４３が形成されている。粘着層４１として、アクリル系両面テープやアクリル系粘着剤が用いられ、その比誘電率は、３〜５程度である。本変形例において、配線部２７と導体部３６との間には、凹部３２によって形成される空間部５０と、孔部４３によって形成される空間部５１とが形成される。よって誘電率が小さい空間部５０、５１の体積を大きくして、導体部３６と配線部２７との間の誘電率をさらに小さくして、浮遊容量を低減することが可能である。
【００４７】
＜第２の実施形態＞
図８は、第２の実施形態の静電容量式入力装置を示す部分拡大断面図である。図８に示すように、第２の実施形態の静電容量式入力装置１１は、表面部材３０の構成が異なっている。本実施形態において、表面パネル３１の裏面側（Ｚ２方向）に粘着層４２を介して第２の基材３７が貼り合わされている。表面パネル３１の裏面側には、非入力領域１６において加飾層３８が形成されており、また、第２の基材３７の非入力領域１６には、導体部３６が形成されている。すなわち、本実施形態において、表面パネル３１は導体部３６に対して入力操作側に配置されている。第２の基材３７には、第１の基材２１と同様にフィルム状の樹脂材料を用いることができる。
【００４８】
導体部３６は、図１に示す第１の実施形態と同様に、第２の基材３７の外周部において枠状に形成されている。そして、図８に示すように、導体部３６は配線部２７に重なる位置に形成されているため、被検出体が近づいた場合において、被検出体と配線部２７との間に静電容量が形成されることを防止できる。よって、配線部２７における静電容量変化による誤検出を防止することができる。
【００４９】
また、図８に示すように、表面部材３０と静電容量式センサ部２０とは、粘着層４１を介して貼り合わされている。粘着層４１には、アクリル系両面テープやアクリル系粘着剤が用いられ、その比誘電率は３〜５程度である。そして、配線部２７と重なる位置において粘着層４１に孔部４３が形成されており、孔部４３が形成された箇所において、第１の基材２１、粘着層４１、及び第２の基材３７によって囲まれた空間部５１が形成される。空間部５１の誘電率は、空気の比誘電率となり約１である。
【００５０】
第２の実施形態の静電容量式入力装置１１において、表面パネル３１が導体部３６よりも入力操作側に配置される構成となっており、配線部２７と導体部３６との距離が小さくなるため、配線部２７と導体部３６との間に形成される浮遊容量が大きくなる。本実施形態において、粘着層４１に孔部４３を形成することにより、配線部２７と導体部３６との間に空間部５１を形成して、配線部２７と導体部３６との間の誘電率を小さくして浮遊容量を低減することが可能である。よって、入力領域１５の静電容量と非入力領域１６の浮遊容量との容量結合を低減して、被検出体が接触、または接触せずに近づいた状態における検出感度を向上させることができる。
【００５１】
したがって、第２の実施形態の静電容量式入力装置１１によれば、配線部２７における静電容量変化による誤検出を防止するとともに、入力領域１５における検出感度を向上させることができる。
【００５２】
図９は、第２の実施形態の静電容量式入力装置を示す、部分拡大平面図であり、特に粘着層に形成される孔部の構成について示す。図９に示すように、配線部２７に重なる位置において、粘着層４１には複数の孔部４３が形成されており、複数の孔部４３のそれぞれは矩形状に形成されている。複数の孔部４３は、配線部２７に沿うように配列される。そして、隣り合う複数の孔部４３、４３同士の間における粘着層４１が桟部４４として形成される。桟部４４は、配線部２７よりも入力領域１５側に位置する粘着層４１と、配線部２７よりも外方に位置する粘着層４１とを接続する。
【００５３】
粘着層４１には、柔軟性を有するアクリル系両面テープやアクリル系粘着剤が用いられるため、孔部４３を設けた場合、孔部４３の周囲において粘着層４１が変形しやすくなり、空間部５１の体積が小さくなるおそれがある。図９に示すように、粘着層４１に孔部４３を設けることにより、配線部２７と導体部３６との間に空間部５１を形成して浮遊容量を低減するとともに、桟部４４を設けることにより、粘着層４１の強度を維持して変形することを防止して、孔部４３により形成される空間部５１の体積が小さくなることを防止できる。これにより、配線部２７と導体部３６との間の誘電率を低減させることができる。
【００５４】
図１０は、第２の実施形態の変形例を示し、静電容量式入力装置の部分拡大断面図である。第２の実施形態の変形例の静電容量式入力装置１１において、静電容量式センサ部２０の構成が異なっている。本変形例において、第１の電極部２２、第２の電極部２３（図１０には図示しない）、配線部２７等が、第１の基材２１の裏面側（Ｚ２方向の面）に配置されている。そして、第１の基材２１の裏面側には、保護フィルム３５が設けられている。
【００５５】
図１０に示すように、配線部２７に重なる位置において、粘着層４１に孔部４３が形成されるとともに、第１の基材２１の入力操作側に凹部２９が形成されている。これにより、配線部２７と導体部３６との間において、孔部４３によって形成される空間部５１と、第１の基材２１の凹部２９によって形成される空間部５２とが形成される。したがって、配線部２７と導体部３６との間の誘電率を低減させて、非入力領域１６における浮遊容量を低減させることが可能である。
【００５６】
なお、表面部材３０及び静電容量式センサ部２０の層構成は、第１の実施形態及び第２の実施形態に示すものに限定されない。例えば、導体部３６を表面パネル３１の非入力領域１６に直接形成する構成や、導体部３６を複数層設ける構成、静電容量式センサ部２０において基材を複数用いて積層する構成等においても、同様の効果が得られる。
【符号の説明】
【００５７】
１０、１１  静電容量式入力装置
１５  入力領域
１６  非入力領域
２０  静電容量式センサ部
２１  第１の基材
２２  第１の電極部
２３  第２の電極部
２７  配線部
２９  凹部
３０  表面部材
３１  表面パネル
３２  凹部
３４、３５  保護フィルム
３６  導体部
３７  第２の基材
３８  加飾層
４１、４２  粘着層
４３  孔部
４４  桟部
５０、５１、５２  空間部
５３  誘電体
【図１】
2014170341.tif 000003
【図２】
2014170341.tif 000004
【図３】
2014170341.tif 000005
【図４】
2014170341.tif 000006
【図５】
2014170341.tif 000007
【図６】
2014170341.tif 000008
【図７】
2014170341.tif 000009
【図８】
2014170341.tif 000010
【図９】
2014170341.tif 000011
【図１０】
2014170341.tif 000012
【図１１】
2014170341.tif 000013